(57)【要約】      （修正有）【課題】毎日楽しんでウェストを測定しダイエットを長続きさせ、いつの間にか太ってしまうという、誰もが経験する失敗を防ぐ事が出来るメジャー付き下衣を提供する。【解決手段】面倒で忘れがちなウェストの測定を、下衣のウェスト部分に作った紐通しに、目盛４を付けたメジャー機能のある紐２を通す事により、メジャーを取り出す手間を省き、毎日の習慣とする事を可能とするものである。パジャマのズボン、スカートやワンピースを含む部屋着、又、丈の長短を問わずトレーニングパンツ等の下衣に適用する事で測定する機会が増える。目前の目標、つまりその日の食事や運動の量を気楽に調節できるので、いつの間にかウェスト部に贅肉がついてしまうという失敗を防ぐ事ができる。遊び心のある楽しいデザインで、目盛も読み易く、長続きするダイエットを実現する手段となるものである。【選択図】図２
0003165860.tif 000002
【実用新案登録請求の範囲】
【請求項１】
下衣のウェスト部分に紐通しを作り、そこに目盛を付けたメジャーとしての機能を持つ紐を通す事を特徴とする、メジャー付き下衣。
【請求項２】
上記の紐は、片方の紐通し口の近くに固定された起点０又は印の表示と、もう片方の紐通し口から出ている部分にウェストを測定すべき目盛を持ち、目盛は、表裏両面に大きくはっきりと遊び心も加味し、プリントや刺繍を用い、下衣をはいたままでも読み易い様に、上下逆に記す事を特徴とする、請求項１に記載のメジャー付き下衣。
【請求項３】
上記の紐は、伸び縮みのない素材を二重にして強化する事を特徴とする、請求項１又は２に記載のメジャー付き下衣。
【考案の詳細な説明】
【技術分野】
【０００１】本考案は、下衣のウェスト部分の紐通しに、メジャーの機能を持つ紐を通し、自分で簡単に、忘れず毎日ウェストを測定する事によって、身体の自己管理の習慣をつけ、ダイエットの助けをする物であり、気が付かないうちに太ってしまう、という失敗を防ぐ物である。
【背景技術】
【０００２】今までは、ダイエットの経過を見る為ウェストを測る時、メジャーや測定の道具を取り出して来なければならず、忘れたり面倒であったりという問題があり、自己管理を長続きさせるという、ダイエットに一番大切な事が忘れられていた。特許文献１では、肥満度を表す。という特徴を持ってはいるが、特許文献２や今までにある同種の特許文献同様に、ベルトという形状から脱していない。
【先行技術文献】
【特許文献】
【０００３】
【特許文献Ｉ】特開２００９−２９９２０４号  公報  健康管理補助ベルト
【特許文献２】特開２００５−２８１９４３号  公報  メジャー付ベルト
【考案の概要】
【考案が解決しようとする課題】
【０００４】先行技術文献は上記以外にも類似の文献が多いが、いずれもベルトに目盛を付けた物であり、メジャーや測定の道具を取り出して来て測るという面倒は解消されていない。
面倒だから時々思い出した時にしか測らない。これを解決しない限りダイエットの効果は望めない。又、ベルト自体が誰もが使うという物ではなく、通常は出かける時に身に着ける物であり、ダイエットを助ける物として相応しい形状とは思われない。しかも、ベルトは通常服の上から着用する物であり、正確なウェストのサイズを測る事が出来ない。ファッション性や遊び心がある事、気楽に測れる事も、ダイエットを長続きさせる為に必要と思われるが、先行技術文献では、単にサイズを測る道具という印象が強い。応用性がない事も課題である。
【課題を解決するための手段】
【０００５】１．本考案は、下衣のウェスト部分に紐通しを作り、そこに目盛を付けたメジャーとしての機能を持つ紐を通す事を特徴とする、メジャー付き下衣である。
２．上記の紐は、片方の紐通し口の近くに固定された起点０又は印の表示と、もう片方の紐通し口から出ている部分にウェストを測定すべき目盛を持ち、目盛は、表裏両面に大きくはっきりと遊び心も加味し、プリントや刺繍を用い、下衣をはいたままでも読み易い様に、上下逆に記す事を特徴とする、メジャー付き下衣である。
３．上記の紐は、伸び縮みのない素材を二重にして強化する事を特徴とする、メジャー付き下衣である。
【考案の効果】
【０００６】メジャーや測定の道具を取り出す面倒を無くす事で、ダイエットを長続きさせる。毎日、朝晩測れるので、目前の計画を立てやすい。例えば、今朝の朝食は少な目にしよう。通勤のバス停を一駅歩こう。寝る前に近所を散歩しよう。逆に、今晩はご褒美にビールを一缶、等。毎日のちょっとした気づきで、自然に無理なく身体の自己管理が身に付く。大きくはっきりした目盛で、年配の人、視力の弱い人にも対応でき、数字を上下逆にして、下衣をはいたままでも読み易くした。ウェスト部分に作った紐通しに、目盛のついた紐を通すので皮膚に近く、正確な測定ができる。又、ダイエット自体楽しい事ではなく、時には憂鬱になる事もあるので、ファッション性と遊び心を持たせる。特に本考案における下衣とは、パジャマのズボン、スカートやワンピースを含む室内着、丈の長短を問わないトレーニングパンツ等を云う物であるので、外出着では着られないような、遊び心のある、男用女用共、楽しい色やデザインが考えられ、毎日の測定も楽しみになる。楽しく、簡単に、忘れずに測定出来る。この３点がダイエットを長続きさせる為に不可欠な事と思われる。又、既に製作、販売されている製品に部分的に取り入れる事も可能である。
【図面の簡単な説明】
【０００７】
【図１】本考案のメジャー付き下衣の正面の図である。
【図２】本考案のメジャー付き下衣のウェストの部分を示す図である。
【図３】本考案のメジャー付き下衣の測定実施の図である。
【図４】本考案のメジャー付き下衣の紐の表裏両面の図である。
【考案を実施するための形態】
本考案における下衣とは、主に家で着るパジャマのズボン、スカートやワンピースを含む室内着、丈の長短を問わないトレーニングパンツ等を云う。
ウェストの部分は、インサイドベルトを使用せず、上下にゴム１，１を通す。その間に紐通しが出来る。紐通しにメジャーの機能を持つ目盛を付けた紐２を通す。これにより、メジャーを探す事なく、朝晩パジャマのズボンを着脱する度に、室内着でテレビを見ながら、トレーニングパンツで運動の前後にウェストを測定する事が出来るので、身体の自己管理が自然に習慣となる。紐２には、起点を示す０又は印３とウェストを測る目盛４をプリントや刺繍で表裏両面に記す。起点３は片方の紐通し口部分の近くに固定する。もう片方の紐通し口から出ている紐部分の目盛４は、誰にも対応出来る様に大きくはっきり、数字は上下逆に記し、下衣をはいたままでも読み易くする。
紐の伸び縮みを防ぐ為、相応しい素材を二重にして強化する。洗濯等で紐２がよじれる事を考え、後ろ中心、ウェストの左右両脇に、よじれを直す為の紐通し口５を開け簡単に直せる様にする。使用する対象者によって、目盛４の色、デザインに変化を付ける事が可能である。測定後の紐２は結んで整える。
【実施例】
【０００８】図３、下衣をはき自分のウェストに合わせて紐２を絞り、片方の紐通し口の近くに固定された起点０又は印３に、もう片方の紐通し口から出ている紐の目盛４を合わせてウェストのサイズを測定する。その後結んで整える。下衣を脱ぐ時は、結んだ紐をほどき、はく時と同様に測定する。
【産業上の利用可能性】
【０００９】メタボリックシンドローム、通称メタボという言葉が氾濫する現在、ダイエットは健康上、美容上、老若男女問わず人々の関心事の第一位と言っても過言でない、と思われる。その証拠にダイエットという名のついた商品、例えば、食品、飲物、健康食品、薬、下着、化粧品、器具、等挙げればきりがない。又、スポーツクラブ、各種ダンスグループも大きな目的はダイエットである。究極は手術まである。そして、お金を掛ける割には、なかなか思う様に成功しないというのも現実であり、リバウンドも大きな問題である。普段からの自己管理がいかに大切で、難しいか、という問題を解決する手段として注目されるものと思われる。気が付かないうちに太ってしまった。という事がなくなるからである。対象者は広い。パジャマのズボン、スカートやワンピースを含む室内着、丈の長短を問わないトレーニングパンツに適用する為、安価な物から高価な物にまで幅広く対応出来る。目的別に、ひとりで何着も持つという事も可能である。既に製作、販売している商品に手を加えるだけでそのまま使えるという利点がある。
【符号の説明】
【００１０】１  ゴム
２  メジャーの機能を持つ紐
３  起点０又は印
４  目盛
５  紐がよじれた時に直す為の紐通し口
【図１】
0003165860.tif 000003
【図２】
0003165860.tif 000004
【図３】
0003165860.tif 000005
【図４】
0003165860.tif 000006